(57)【要約】      （修正有）【課題】構造が簡単で、工事が簡便であり、定量的に接着剤を注入することができる、透明光ケーブルの敷設用の接着剤塗布装置を提供する。【解決手段】接着剤塗布装置は、外部ハウジング２と外部ハウジング２の内部に設置する内部ハウジングからなる。接着剤の注入端の端面に接着剤の注入部が設けられ、接着剤の注入部は接着剤のキャビティを貫通し、接着剤の注入端にはケーブル敷設経路にある異物を除去するための前方前処理器２２が設けられ、前方前処理器２２は外部ハウジング２の側面２１に設置され、前方前処理器２２は外部ハウジング体２と一体に成形され、前方前処理器２２は両側が１２０°の夾角になす分離ガイド側面２２０を含み、二つの分離ガイド側面２２０は外部ハウジング２より突出し、外部ハウジング２の端面にケーブル定位溝２３が設けられ、ケーブル定位層２３は接着剤注入部の一側に設置される。【選択図】図２
0003230384.tif 000002
【実用新案登録請求の範囲】
【請求項１】
外部ハウジングと前記外部ハウジングの内部に設置する内部ハウジングからなり、前記内部ハウジングの内部は接着剤のキャビティ部であって、前記外部ハウジングの一端が取付部であって、前記外部ハウジングの他端が前記接着剤の注入端であり、前記取付部を介して、グルーガンに取り付けられる透明光ケーブル敷設用の接着剤塗布装置であって、
前記注入端の端面に、前記接着剤のキャビティに貫通する接着剤の注入部が設けられ；
前記接着剤の注入端には、ケーブル敷設経路にある異物を除去するための前方前処理器が設けられ、前記前方前処理器は外部ハウジングの側面に設置され、前記前方前処理器は前記外部ハウジングとは一体に成形される；
前記前方前処理器には、両側が１２０°夾角になす分離ガイド側面を備え、前記二つの分離ガイド側面は前記外部ハウジングより突出する；
前記外部ハウジングの端面にケーブルの定位溝が設けられ、前記ケーブルの定位溝は前記接着剤の注入部の一側に設置されることを特徴とする透明光ケーブル敷設用の接着剤塗布装置。
【請求項２】
前記ケーブルの定位溝はＵ型溝であって、Ｕ型溝の開口と前記接着剤の注入部の開口とが一致することを特徴とする請求項１に記載の透明光ケーブル敷設用の接着剤塗布装置。
【請求項３】
更に定位部材を備え、前記定位部材は前記外部ハウジングの接着剤の注入端に設置され、前記定位部材は前記接着剤の注入部の両側に設置され、前記定位部材の定位端面と接着剤の注入部の接着剤注入面とが鋭角になすことを特徴とする請求項２に記載の透明光ケーブル敷設用の接着剤塗布装置。
【請求項４】
前記定位部材は定位ブロック及び圧縮バネを備え、前記外部ハウジングにおける定位部材が設置された位置に凸字形の定位溝が設けられ、前記圧縮バネは前記定位溝中に設置され、前記定位ブロックは前記圧縮バネをプレスするようになっていることを特徴とする請求項３に記載の透明光ケーブル敷設用の接着剤塗布装置。
【請求項５】
前記接着剤のキャビティは取付端から接着剤の注入端まで順次に接着剤の注入キャビティ、一次増圧キャビティ、接着剤の圧力安定キャビティ、接着剤の流量制御キャビティと接着剤の注入部を含むことを特徴とする請求項１に記載の透明光ケーブル敷設用の接着剤塗布装置。
【請求項６】
前記接着剤の注入キャビティの周りに伝熱式加熱ブロックが設けられ、前記伝熱式加熱ブロックが配置される前記外部ハウジングの一端は、取付座として構成される取付端であり、前記取付座は取付座本体を介して、グルーガンに取り付けられ、前記取付座本体と外部ハウジングとは一体に成形されることを特徴とする請求項５に記載の透明光ケーブル敷設用の接着剤塗布装置。
【請求項７】
前記接着剤の流量制御キャビティ内部に流量制御部材が設置され、前記流量制御部材は内部ねじによって、前記外部ハウジングと接続し、前記接着剤の流量制御キャビティと前記外部ハウジングとは閉空間に形成し、前記流量制御部材は円柱体の中間に切削溝を貫通する構造であって、前記切削溝の位置を調整することによって、前記接着剤の圧力安定キャビティから接着剤の注入部への接着剤の通路を形成することを特徴とする請求項５に記載の透明光ケーブル敷設用の接着剤塗布装置。
【考案の詳細な説明】
【技術分野】
【０００１】
本考案は、光ケーブル、光ファイバーの技術分野に属し、具体的に透明光ケーブル敷設ための接着剤塗布装置に関する。
【背景技術】
【０００２】
「ブロードバンド中国」、「インタネット＋」及び「ネットスピードの向上、費用削減」などの国策の実施に伴い、各大手通信サービス業者は家庭までの光ファイバーの敷設を進めている。本来にあったＦＴＴＸ＋ＬＡＮの接続方式は、光ファイバーの直接家庭までの引き込むことに代替される。ブロードバンドのユーザーはネットスピードのグレードアップを経験する。グレードアップの過程において、サービス業者とユーザーとは共にユーザー側での配線の切り替えの問題に直面する。元来配線システムと新配線システムと素早く切り替えることは、サービス業者がユーザーを惹きつけるキーポイントである。一部のユーザーはグレードアップを選択しなかったメイン理由として、ひとつは元の配線を取り外す際に、家内部の内装が破壊されると共に時間が長いことである。また露出配線で敷設する場合、現在の室内に引き込む光ケーブルは、ほとんど黒色、白色、黄色等の色彩の対比度が強烈な色であるため、家の内装の全体効果に影響を及ぼす。
【０００３】
上記の原因に対して、透明光ケーブルによるシステムとの接続は、非常に有効的に上記の主な問題を解決できる。透明光ケーブルはシステムとの接続にあたって、元の配線を取り外す必要がなく、工事に要する時間が短く、内装効果を破壊することもない。光ファイバーの寸法はマイクロケーブル構造を採用し、良好な湾曲性能を有するため、壁角、ドアの隙間、窓台、すそ板等、内装の様式と構造の破壊を引き起こし易くない隠れた箇所に沿って敷設することが可能であり、接着剤の塗布による固定する方法を採用し、工事が早く、サービスの開通が迅速であるなどの特徴を有し、サービス業者が推し広める新型の宅内に引き込むタイプの接続方式である。また透明光ケーブルの接続方式は、商業ユーザに対して素早い容量拡大、古い地域へのサービス提供、突発故障の応急対応等の範囲に用いられる。
【０００４】
現在、透明光ケーブルの接着剤による敷設は、主に常温硬化接着剤と熱溶型接着剤を採用している。接着剤による敷設はグルーガンが直接に接着剤を注射して固定する方法を用いる。接着剤による固定を実施する前に、先に速く乾くタイプの接着剤を用い、ケーブルを最初の固定を行い、接着剤が塗られた専用の美化テープで接着剤敷設経路の保護を行い、その後接着剤を注射して、ケーブルを固定させる。該当方式の敷設方法は多くの人手と時間が必要であり、接着剤の注射は通用の注射ヘッドを使用し、接着剤の注射量を手動で決めるため、接着剤を定量的に注射することができない。また接着剤は硬化後に、曲がり、突起、凹み、接着剤の中断、脱落等の欠陥が形成しやすく、二次工事が必要となる。また、壁角、ドアの隙間、窓台、すそ板等の隠れた場所には、塵埃、内装時の残留物、油汚れ等の望ましくない物が多いため、敷設の接着剤の硬化に伴い、接着剤内部に顆粒状の不純物が形成され、透明効果を重篤に影響する。上記工事過程の問題の観点から、上記問題を解決できる装置が必要である。
【考案の概要】
【考案が解決しようとする課題】
【０００５】
上記技術問題を解決するために、本考案は透明光ケーブル敷設用の接着剤の塗布装置を提供することを目的とする。該装置は、構造が簡単で、工事も簡易便利で、接着剤定量的にを注射することができ、塗布効果も優れている。
【課題を解決するための手段】
【０００６】
上記目的を達成するために、本考案の技術案は以下のとおりである。
透明光ケーブル敷設用の接着剤の塗布装置であって、外部ハウジングと前記ハウジング内部に設置される内部ハウジングからなり、前記内部ハウジングの内部は接着剤のキャビティであり、前記外部ハウジングの一端は取付端であり、前記外部ハウジングの他端は前記取付端によって、グルーガンに取り付けられる接着剤の注入端であり、前記接着剤の注入端の端面に接着剤の注入部が設置され、前記接着剤の注入部は前記接着剤のキャビティに貫通し、前記接着剤の注入端にケーブルの敷設経路にある異物を除去するための前方前処理器が設置される；前記前方前処理器は前記外部ハウジングの側面に設置され、前記前方前処理器は前記外部ハウジングと一体に成形され、前記前方前処理器には両側が１２０°の夾角になす分離ガイド側面を備え、二つの分離ガイド側面は前記ハウジングを突出している；前記外部ハウジングの端面にケーブルの定位溝が設置され；前記ケーブルの定位溝は前記接着剤の注入部側に設置される。
【０００７】
本考案の実施例において、好ましく前記ケーブル定位溝はＵ型溝であり、Ｕ型溝の開口と前記接着剤の注入部の開口と一致し、Ｕ型溝の底と外部ハウジングの底辺とは３０°の夾角になす。
【０００８】
本考案の実施例において、好ましく更に定位部材を備え、前記定位部材は前記外部ハウジングの接着剤注入端に設けられ、前記定位部材は前記接着剤の注入部の両側に設置され、前記定位部材の定位端面と接着剤の注入部の接着剤注入面とは、鋭角になす。
【０００９】
本考案の実施例において、好ましく更に前記定位部材は定位ブロックと圧縮バネを備え、前記外部ハウジングにおける定位部材が設置される位置に凸字型の定位溝が設けられる、前記圧縮バネは前記定位溝に設置され、前記定位ブロックは前記圧縮バネをプレスするようになっている。
【００１０】
本考案の実施例において、好ましく更に前記接着剤のキャビティは取付端から接着剤注入端まで順次に、接着剤の注入キャビティ、一次増圧キャビティ、接着剤の圧力安定キャビティ、接着剤の流量制御キャビティと接着剤の注入部を含む。
【００１１】
本考案の実施例において、好ましく更に前記接着剤の注入キャビティの周囲に、伝熱式の加熱ブロックが設置される。前記伝熱式の加熱ブロックが設置される一端は取付端で、前記取付端は取付座である；前記取付座は取付座本体を介して、グルーガンに取り付けられる。前記取付座本体と外部ハウジングとは、一体に成形される。
【００１２】
本考案の実施例において、好ましく更に前記接着剤流量制御キャビティの内部に流量制御部材が設置される。前記流量制御部材は内部ねじを介して、前記外部ハウジングと接続し、前記接着剤の流量制御キャビティと前記外部ハウジングとは、密閉空間に形成され、前記流量制御部材は円柱体の中間に切削溝が貫通される構造であり、前記切削溝の位置を調整することにより、前記接着剤の圧力安定キャビティと接着剤の注入部と接着剤の通路を形成する
【００１３】
本考案による有益効果は以下である。
第一、本考案の塗布装置は、前方前処理器により、ケーブルの敷設経路にある異物を有効的に除去することができる。更に前方前処理器の両側が１２０°になす分離ガイド側面により、有効的に異物の整理ができる。接着剤硬化後の透明効果を有効的に確保することができ、接着剤が脱落の欠陥を避けられる。
【００１４】
第二、ケーブルの定位溝のセルフセンタリング定位装置によって、敷設が必要であるケーブルを接着剤の注入部の下に位置づけ、セルフ定位作用を完成し、接着剤キャビティの接着剤の敷設により、ケーブルと接着剤の敷設を同時に完成させる。事前のケーブルの前
処理及びその他の敷設経路の補助作業が不要であり、工事効率が高められる。
【００１５】
第三、定位ブロックによって、接着剤の敷設経路と参照物（ドアの隙間、壁角、窓台、すそ板）の位置一致性を実現できるため、接着剤の敷設経路が曲がる欠陥を回避することができる。
【００１６】
第四、接着剤キャビティ中の接着剤の増圧、圧力安定と流量制御部材によって、接着剤が敷設する時の接着剤の計量を保証することができる。そのため、凸凹欠陥と接着剤が中断現象を回避することができる。
【００１７】
第五、接着剤取付座によって、本装置を素早くグルーガンに取り付けることができる。取付座における伝熱式加熱ブロックは常温硬化接着剤及び熱熔型接着剤の使用に適用することができる。
【図面の簡単な説明】
【００１８】
本考案の実施例技術の技術案をより明確に説明するために、下記実施例技術の説明に使用必要な図面を簡単に紹介する。明らかであるように、下記説明に用いられる図面は単に本考案の実施例の一部だけであり、この分野の通常の技術者にとって、創造性労働を費やすしない前提で、これらの図面に基づき、その他の図面を得ることができる。
【図１】本考案の構造を説明する略図である。
【図２】図１の側面投影図である。
【考案を実施するための形態】
【００１９】
以下本発明の実施例の図面により、本発明実施例の技術案に対して、明確に、完全な説明を行う。明らかであるように、説明した実施例は単に本発明の実施例の一部だけであり、全部の実施例ではない。本発明の実施例に基づいた、本領域の技術者は創造性労働を実施しない前提で得られたその他の実施例も本発明の保護範囲に属す。
実施例
図１−２に示されたように、本実施例は透明光ケーブル敷設用の接着剤塗布装置の一種を開示している。それが外部ハウジング２と上記外部ハウジング２に設置した内部ハウジングを備え、上記内部ハウジングの内部は接着剤のキャビティ４、上記外部ハウジング２の一端は取付端１、上記外部ハウジング２の他端は接着剤の注入端であって、上記取付端１を介してグルーガンに取り付けられる。グルーガンによって、接着剤を接着剤のキャビティ４に注入し、接着剤の注入端によって、接着剤の塗布を行うことになっている。
【００２０】
具体的に、図１に示したように、上記接着剤キャビティは取付端から接着剤の注入端まで順次に、接着剤の注入キャビティ４１、接着剤の貯蔵キャビティ４２、一次増圧キャビティ４３、接着剤圧力安定キャビティ４４、接着剤流量制御キャビティ４５と接着剤の注入部４６を備える。
【００２１】
上記接着剤の注入部４６は接着剤の注入端の端面に設置し、即ち接着剤の注入部４６の接着剤の出口は接着剤の注入端の端面にある。接着剤注入キャビティ４１の周囲に伝熱式加熱ブロック１１が設けられ、上記伝熱式加熱ブロック１１が設置された端は取付端であって、上記取付端は取付座１、上記取付座１は取付座本体１１を介して、グルーガンに取
り付けられ、上記取付座本体１１と外部ハウジング２と一体に成形されている。接着剤の取付座によって、本装置を素早くグルーガンに取り付けることができる。取付座における伝熱式加熱ブロックは常温硬化接着剤と熱溶型接着剤の使用に適用することができる。
【００２２】
上記接着剤流量制御キャビティ４５内部に流量制御部材４５０を備え、上記流量制御部材４５０は内ねじを介して、上記外部ハウジング２と接続し、上記接着剤流量制御キャビティ４５と上記外部ハウジング２とは閉空間を形成する。
【００２３】
上記流量制御部材は円柱体の中間に切削溝が貫通される構造であり、上記切削溝の位置を調整することによって、上記接着剤の圧力安定キャビティ４４と接着剤注入部４６と接着剤の通路を形成する。
【００２４】
接着剤塗布装置は取付座１を介して、グルーガンに取り付けられ、接着剤はグルーガンによって注入され、接着剤の注入キャビティ４１中に進入し、その後、接着剤の貯蔵キャビティ４２に推し入れ、グルーガンの推力の作用によって、接着剤貯蔵キャビティ４２中に接着剤が貯蔵され、接着剤の安定的な注入を確保することができる。一次増圧キャビティ４３で加圧された後、接着剤の圧力安定キャビティ４４に入る。一次増圧キャビティ４３と接着剤流量制御キャビティ４５の作用により、圧力が安定する接着剤区域が形成され、接着剤流量制御キャビティ４５での流量の制御にって、接着剤の注入部４６に入って、接着剤は敷設される。
【００２５】
接着剤流量制御キャビティ４５の流量制御原理は円柱体の中間に切削溝構造が貫通される構造を採用し、外部ハウジング２と閉空間が形成され、前記切削溝の位置を調整することにより、接着剤の圧力安定キャビティ４４と接着剤の注入部４６とは接着剤の通路を形成し、有効的に流量と圧力をコントロールし、接着剤の注入部４６にある接着剤の量は、有効な敷設ができることを確保する；接着剤流量制御キャビティ４５の流量制御部材４５０は内部ねじ方式を採用し、外部ハウジング２と接続し、回転流量制御部材によって、流量コントロールを完成させる。接着剤流量制御部材の材質はフッ素プラスチックインジェクション方式加工を採用し、必要な強度及び優れる潤滑性を保証することができ、摩擦係数を低くし、接着剤の圧力と流量の安定を保証することができる。
【００２６】
異物を有効的に整理し、接着剤が硬化後の透明効果を保証し、接着剤の脱落問題を解決するために、本実施例において、上記接着剤の注入端にケーブル敷設経路にある異物を除去するための前方前処理器２２を設置し、前記前方前処理器２２は外部ハウジング２の側面２１に設置され、前記前方前処理器２２と前記外部ハウジング２と一体に成形され、上記前方前処理器２２は両側が１２０°の夾角になす分離ガイド側面２２０を備え、二つの分離ガイド側面２２０は上記外部ハウジング２を突出している。
【００２７】
上記外部ハウジング２の端面にケーブル定位溝２３が設けられ、上記ケーブル定位溝２３は上記接着剤の注入部４６の一側に設置するようになっている。上記ケーブル定位溝はＵ型溝であり、Ｕ型溝の開口と上記接着剤の注入部の開口と一致し、Ｕ型溝の底と外部ハウジングの底辺と３０°の夾角になす。
【００２８】
ケーブル定位溝のセルフセンタリング定位装置によって、設敷が必要なケーブルを接着剤の注入部の下方に定位し、セルフ定位作用を完成させる。接着剤キャビティの接着剤の敷設によって、ケーブルと接着剤の同時敷設を完成させる。事前にケーブルに対する前処理及びその他の敷設経路の補助工事が不要である。
【００２９】
本実施例の塗布装置には更に定位部材３が設置され、上記定位部材３は上記外部ハウジング１の接着剤の注入端に設けられる。上記定位部材３は上記接着剤の注入部４６の両側
に設けられ、上記定位部材３の定位端面と接着剤の注入部４６の接着剤の注入面と鋭角になす。
【００３０】
上記定位部材３は、定位ブロック３３と圧縮バネ３２を備え、上記外部ハウジング２における定位部品が設置される位置に凸字形の定位溝３１が設けられる。上記圧縮バネ３２は上記定位溝３１に設置し、前記定位ブロック３３は上記圧縮バネ３２にプレスするようになっている。定位ブロックを介して、接着剤の敷設経路と参照物（ドアの隙間、壁角、窓台、すそ板）の位置の一致性を実現することができる。接着剤の敷設経路の曲がりの欠陥を回避することができる。
【００３１】
上記実施例が開示された考案に対して、本領域の専門技術者は本考案を実現または使用することができる。これらの実施例に対する各種修正は、本領域の専門技術者にとって、明らかである。本明細書が定義した一般的な原理は、本考案の主旨または範囲を脱離しない前提で、その他の実施例において実現することができる。そのため、本考案は本明細書に示されたこれらの実施例に限定されるものではなく、本明細書が公開した原理と新規性特徴と一致する最も広い範囲に適合する。
【符号の説明】
【００３２】
１−取付座（取付端）、１１−伝熱式加熱ブロック、１２−取付座本体、２−外部ハウジング、２１−外部ハウジングの側面、２２−前方前処理器、２２０−分離ガイド側面、２３−ケーブル定位溝、３−定位部材、３１−定位溝、３２−圧縮バネ、３３定位ブロック、４−接着剤キャビティ、４１−接着剤注入キャビティ、４２−接着剤の貯蔵キャビティ、４３−一次増圧キャビティ、４４−接着剤の圧力安定キャビティ、４５−接着剤流量制御キャビティ、４５０−流量制御部材、４６−接着剤注入部
【図１】
0003230384.tif 000003
【図２】
0003230384.tif 000004